【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
第２のエンティティからユーザ機器リレー（ＵＥリレー）のための超低デューティサイクル信号（ＬＤＣＳ）構成を受信することと、
前記受信されたＬＤＣＳ構成に基づいて前記ＵＥリレーからのＬＤＣＳを監視することと
を備える、ユーザ機器（ＵＥ）におけるワイヤレス通信の方法。
【請求項２】
前記第２のエンティティが、ドーマント状態にない低電力ノード（ＬＰＮ）とマクロセルとのうちの１つを備える、請求項１に記載の方法。
【請求項３】
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、請求項１に記載の方法。
【請求項４】
前記ＬＤＣＳの前記フォーマットが、低減された量の情報を有するシステム情報ブロック（ＳＩＢ）フォーマットを備え、ここにおいて、前記ＬＤＣＳがＳＩＢ情報とグローバルセルＩＤとのうちの少なくとも１つを備え、または前記ＬＤＣＳの前記フォーマットが、低デューティサイクルを有する拡張セル固有基準信号（ＣＲＳ）を備え、５つのリソースブロック（ＲＢ）と、２５個のＲＢと、システム帯域幅全体とのいずれかに及ぶ、または前記ＬＤＣＳの前記フォーマットが、少なくともグローバルセルＩＤの符号化された情報を備える低再利用プリアンブルを有するコード化信号送信を備える、請求項２に記載の方法。
【請求項５】
前記ＬＤＣＳ構成が、前記第２のエンティティからの１次同期信号（ＰＳＳ）送信と、２次同期信号（ＳＳＳ）送信と、物理ブロードキャストチャネル（ＰＢＣＨ）送信と、システム情報ブロック（ＳＩＢ）送信と、マスタ情報ブロック（ＭＩＢ）送信とのうちの少なくとも１つにおいて備えられる、請求項１に記載の方法。
【請求項６】
前記ＵＥが、セル再選択を実行するためにアイドルモードと、前記ＵＥリレーを通して可能なデータ接続を実行するためにアクティブモードとのうちの少なくとも１つ中に前記ＬＤＣＳを監視する、請求項１に記載の方法。
【請求項７】
複数の低電力ノード（ＬＰＮ）のためのＬＤＣＳ構成を受信することと、前記複数のＬＰＮが前記ＵＥリレーを含み、ここにおいて、前記ＵＥが、前記受信されたＬＤＣＳ構成に基づいて前記複数のＬＰＮからの複数のＬＤＣＳを監視する、
前記ＵＥが、ＬＰＮに接続する必要を判断したとき、前記監視されるＬＤＣＳの中の最大受信電力と、前記監視されるＬＤＣＳの中の最小経路損失とのうちの少なくとも１つに基づいて、前記複数のＬＰＮの間でＬＰＮを選択することと
をさらに備える、請求項６に記載の方法。
【請求項８】
前記第２のエンティティから前記複数のＬＰＮの送信電力を受信することと、ここにおいて、前記ＬＰＮの各々のための前記送信電力が、前記対応するＬＰＮのための前記受信されたＬＤＣＳ構成において備えられる、
前記対応するＬＰＮのための前記受信された送信電力に少なくとも部分的に基づいて、前記複数のＬＰＮの各々のための経路損失を判断することと
をさらに備える、請求項７に記載の方法。
【請求項９】
各ＬＤＣＳが、前記対応するＬＰＮの送信電力を備え、前記方法が、
前記対応するＬＰＮのための前記受信された送信電力に少なくとも部分的に基づいて、前記複数のＬＰＮの各々のための経路損失を判断すること
をさらに備える、請求項７に記載の方法。
【請求項１０】
前記選択されたＬＰＮから前記ＬＤＣＳを受信した後にＲＡＣＨ遅延において前記選択されたＬＰＮにランダムアクセスチャネル（ＲＡＣＨ）メッセージを送信することをさらに備え、ここにおいて、前記ＲＡＣＨ遅延が、前記選択されたＬＰＮから受信された前記ＬＤＣＳと、前記第２のエンティティから受信された前記ＬＤＣＳ構成とのうちの少なくとも１つにおいて備えられ、ここにおいて、前記選択されたＬＰＮから前記ＬＤＣＳを受信した後に前記選択されたＬＰＮにリンクされたＲＡＣＨ構成を使用して前記選択されたＬＰＮに前記ＲＡＣＨメッセージが送信され、ここにおいて、前記ＲＡＣＨ構成が、前記選択されたＬＰＮから受信された前記ＬＤＣＳと、前記第２のエンティティから受信された前記ＬＤＣＳ構成とのうちの少なくとも１つにおいて備えられる、請求項７に記載の方法。
【請求項１１】
前記第２のエンティティからの前記受信されたＬＤＣＳ構成に基づいて、複数の低電力ノード（ＬＰＮ）からＬＤＣＳを受信することをさらに備え、ここにおいて、前記ＬＰＮの各々のための前記ＬＤＣＳが、前記対応するＬＰＮのためのバックホール品質情報とローディング能力情報とのうちの少なくとも１つを備える、請求項１に記載の方法。
【請求項１２】
前記ＵＥにおけるバッファステータスを判断することと、
前記ＵＥの前記判断されたバッファステータスとの組合せで、前記対応するＬＰＮのための前記受信されたバックホール品質情報と前記ローディング能力情報とのうちの少なくとも１つに基づいて、前記複数のＬＰＮのいずれかにアクセスすべきかどうかを判断することと
をさらに備える、請求項１１に記載の方法。
【請求項１３】
前記対応するＬＰＮのための前記受信されたバックホール品質情報と、前記受信されたローディング能力情報と、受信信号強度と、経路損失とのいずれかに基づいて、前記複数のＬＰＮのいずれかにアクセスすべきかどうかを判断することをさらに備える、請求項１１に記載の方法。
【請求項１４】
第２のエンティティからユーザ機器リレー（ＵＥリレー）のための超低デューティサイクル信号（ＬＤＣＳ）構成を受信するための手段と、
前記受信されたＬＤＣＳ構成に基づいて前記ＵＥリレーからのＬＤＣＳを監視するための手段と
を備える、ワイヤレス通信のための装置。
【請求項１５】
実行されると、少なくとも１つのコンピュータに、請求項１から１３のうちの１つに記載の方法を行わせるための実行可能な命令を備える、コンピュータプログラム。
【手続補正２】
【補正対象書類名】明細書
【補正対象項目名】０１３１
【補正方法】変更
【補正の内容】
【０１３１】
[00150]以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
第２のエンティティからユーザ機器リレー（ＵＥリレー）のための超低デューティサイクル信号（ＬＤＣＳ）構成を受信することと、
前記受信されたＬＤＣＳ構成に基づいて前記ＵＥリレーからのＬＤＣＳを監視することと
を備える、ユーザ機器（ＵＥ）におけるワイヤレス通信の方法。
［Ｃ２］
前記第２のエンティティが、ドーマント状態にない低電力ノード（ＬＰＮ）とマクロセルとのうちの１つを備える、Ｃ１に記載の方法。
［Ｃ３］
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ１に記載の方法。
［Ｃ４］
前記ＬＤＣＳの前記フォーマットが、低減された量の情報を有するシステム情報ブロック（ＳＩＢ）フォーマットを備え、ここにおいて、前記ＬＤＣＳがＳＩＢ情報とグローバルセルＩＤとのうちの少なくとも１つを備える、Ｃ２に記載の方法。
［Ｃ５］
前記ＬＤＣＳの前記フォーマットが、低デューティサイクルを有する拡張セル固有基準信号（ＣＲＳ）を備え、５つのリソースブロック（ＲＢ）と、２５個のＲＢと、システム帯域幅全体とのいずれかに及ぶ、Ｃ２に記載の方法。
［Ｃ６］
前記ＬＤＣＳの前記フォーマットが、少なくともグローバルセルＩＤの符号化された情報を備える低再利用プリアンブルを有するコード化信号送信を備える、Ｃ２に記載の方法。
［Ｃ７］
前記ＬＤＣＳ構成が、前記第２のエンティティからの１次同期信号（ＰＳＳ）送信と、２次同期信号（ＳＳＳ）送信と、物理ブロードキャストチャネル（ＰＢＣＨ）送信と、システム情報ブロック（ＳＩＢ）送信と、マスタ情報ブロック（ＭＩＢ）送信とのうちの少なくとも１つにおいて備えられる、Ｃ１に記載の方法。
［Ｃ８］
前記ＵＥが、セル再選択を実行するためにアイドルモードと、前記ＵＥリレーを通して可能なデータ接続を実行するためにアクティブモードとのうちの少なくとも１つ中に前記ＬＤＣＳを監視する、Ｃ１に記載の方法。
［Ｃ９］
複数の低電力ノード（ＬＰＮ）のためのＬＤＣＳ構成を受信することと、前記複数のＬＰＮが前記ＵＥリレーを含み、ここにおいて、前記ＵＥが、前記受信されたＬＤＣＳ構成に基づいて前記複数のＬＰＮからの複数のＬＤＣＳを監視する、
前記ＵＥが、ＬＰＮに接続する必要を判断したとき、前記監視されるＬＤＣＳの中の最大受信電力と、前記監視されるＬＤＣＳの中の最小経路損失とのうちの少なくとも１つに基づいて、前記複数のＬＰＮの間でＬＰＮを選択することとをさらに備える、Ｃ８に記載の方法。
［Ｃ１０］
前記ＬＰＮが、前記監視されるＬＤＣＳの中の最小経路損失に基づいて選択される、Ｃ９に記載の方法。
［Ｃ１１］
前記第２のエンティティから前記複数のＬＰＮの送信電力を受信することと、ここにおいて、前記ＬＰＮの各々のための前記送信電力が、前記対応するＬＰＮのための前記受信されたＬＤＣＳ構成において備えられる、
前記対応するＬＰＮのための前記受信された送信電力に少なくとも部分的に基づいて、前記複数のＬＰＮの各々のための経路損失を判断することと
をさらに備える、Ｃ９に記載の方法。
［Ｃ１２］
各ＬＤＣＳが、前記対応するＬＰＮの送信電力を備え、前記方法が、
前記対応するＬＰＮのための前記受信された送信電力に少なくとも部分的に基づいて、前記複数のＬＰＮの各々のための経路損失を判断することをさらに備える、Ｃ９に記載の方法。
［Ｃ１３］
前記選択されたＬＰＮから前記ＬＤＣＳを受信した後にＲＡＣＨ遅延において前記選択されたＬＰＮにランダムアクセスチャネル（ＲＡＣＨ）メッセージを送信することをさらに備え、ここにおいて、前記ＲＡＣＨ遅延が、前記選択されたＬＰＮから受信された前記ＬＤＣＳと、前記第２のエンティティから受信された前記ＬＤＣＳ構成とのうちの少なくとも１つにおいて備えられる、Ｃ９に記載の方法。
［Ｃ１４］
前記選択されたＬＰＮから前記ＬＤＣＳを受信した後に前記選択されたＬＰＮにリンクされたＲＡＣＨ構成を使用して前記選択されたＬＰＮに前記ＲＡＣＨメッセージが送信され、ここにおいて、前記ＲＡＣＨ構成が、前記選択されたＬＰＮから受信された前記ＬＤＣＳと、前記第２のエンティティから受信された前記ＬＤＣＳ構成とのうちの少なくとも１つにおいて備えられる、Ｃ１３に記載の方法。
［Ｃ１５］
前記第２のエンティティからの前記受信されたＬＤＣＳ構成に基づいて、複数の低電力ノード（ＬＰＮ）からＬＤＣＳを受信することをさらに備え、ここにおいて、前記ＬＰＮの各々のための前記ＬＤＣＳが、前記対応するＬＰＮのためのバックホール品質情報とローディング能力情報とのうちの少なくとも１つを備える、Ｃ１に記載の方法。
［Ｃ１６］
前記ＵＥにおけるバッファステータスを判断することと、
前記ＵＥの前記判断されたバッファステータスとの組合せで、前記対応するＬＰＮのための前記受信されたバックホール品質情報と前記ローディング能力情報とのうちの少なくとも１つに基づいて、前記複数のＬＰＮのいずれかにアクセスすべきかどうかを判断することとをさらに備える、Ｃ１５に記載の方法。
［Ｃ１７］
前記対応するＬＰＮのための前記受信されたバックホール品質情報と、前記受信されたローディング能力情報と、受信信号強度と、経路損失とのいずれかに基づいて、前記複数のＬＰＮのいずれかにアクセスすべきかどうかを判断することをさらに備える、Ｃ１５に記載の方法。
［Ｃ１８］
第２のエンティティからユーザ機器リレー（ＵＥリレー）のための超低デューティサイクル信号（ＬＤＣＳ）構成を受信するための手段と、
前記受信されたＬＤＣＳ構成に基づいて前記ＵＥリレーからのＬＤＣＳを監視するための手段と
を備える、ワイヤレス通信のための装置。
［Ｃ１９］
前記第２のエンティティが、ドーマント状態にない低電力ノード（ＬＰＮ）とマクロセルとのうちの１つを備える、Ｃ１８に記載の装置。
［Ｃ２０］
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ１８に記載の装置。
［Ｃ２１］
前記ＬＤＣＳの前記フォーマットが、低減された量の情報を有するシステム情報ブロック（ＳＩＢ）フォーマットを備え、ここにおいて、前記ＬＤＣＳがＳＩＢ情報とグローバルセルＩＤとのうちの少なくとも１つを備える、Ｃ１９に記載の装置。
［Ｃ２２］
前記ＬＤＣＳの前記フォーマットが、低デューティサイクルを有する拡張セル固有基準信号（ＣＲＳ）を備え、５つのリソースブロック（ＲＢ）と、２５個のＲＢと、システム帯域幅全体とのいずれかに及ぶ、Ｃ１９に記載の装置。
［Ｃ２３］
前記ＬＤＣＳの前記フォーマットが、少なくともグローバルセルＩＤの符号化された情報を備える低再利用プリアンブルを有するコード化信号送信を備える、Ｃ１９に記載の装置。
［Ｃ２４］
前記ＬＤＣＳ構成が、前記第２のエンティティからの１次同期信号（ＰＳＳ）送信と、２次同期信号（ＳＳＳ）送信と、物理ブロードキャストチャネル（ＰＢＣＨ）送信と、システム情報ブロック（ＳＩＢ）送信と、マスタ情報ブロック（ＭＩＢ）送信とのうちの少なくとも１つにおいて備えられる、Ｃ１８に記載の装置。
［Ｃ２５］
前記装置が、セル再選択を実行するためにアイドルモードと、前記ＵＥリレーを通して可能なデータ接続を実行するためにアクティブモードとのうちの少なくとも１つ中に前記ＬＤＣＳを監視する、Ｃ１８に記載の装置。
［Ｃ２６］
受信するための前記手段が、複数の低電力ノード（ＬＰＮ）のためのＬＤＣＳ構成を受信し、前記複数のＬＰＮが前記ＵＥリレーを含み、ここにおいて、前記装置が、前記受信されたＬＤＣＳ構成に基づいて前記複数のＬＰＮからの複数のＬＤＣＳを監視し、前記装置は、
ＬＰＮに接続する必要を前記装置が判断したとき、前記監視されるＬＤＣＳの中の最大受信電力と、前記監視されるＬＤＣＳの中の最小経路損失とのうちの少なくとも１つに基づいて、前記複数のＬＰＮの間でＬＰＮを選択するための手段をさらに備える、Ｃ２５に記載の装置。
［Ｃ２７］
前記ＬＰＮが、前記監視されるＬＤＣＳの中の最小経路損失に基づいて選択される、Ｃ２６に記載の装置。
［Ｃ２８］
受信するための前記手段が、前記第２のエンティティから前記複数のＬＰＮの送信電力を受信し、ここにおいて、前記ＬＰＮの各々のための前記送信電力が、前記対応するＬＰＮのための前記受信されたＬＤＣＳ構成において備えられ、
選択するための前記手段が、前記対応するＬＰＮのための前記受信された送信電力に少なくとも部分的に基づいて、前記複数のＬＰＮの各々のための経路損失を判断する、Ｃ２６に記載の装置。
［Ｃ２９］
各ＬＤＣＳが、前記対応するＬＰＮの送信電力を備え、ここにおいて、選択するための前記手段が、前記対応するＬＰＮのための前記受信された送信電力に少なくとも部分的に基づいて、前記複数のＬＰＮの各々のための経路損失を判断する、Ｃ２６に記載の装置。
［Ｃ３０］
前記選択されたＬＰＮから前記ＬＤＣＳを受信した後にＲＡＣＨ遅延において前記選択されたＬＰＮにランダムアクセスチャネル（ＲＡＣＨ）メッセージを送信するための手段をさらに備え、ここにおいて、前記ＲＡＣＨ遅延が、前記選択されたＬＰＮから受信された前記ＬＤＣＳと、前記第２のエンティティから受信された前記ＬＤＣＳ構成とのうちの少なくとも１つにおいて備えられる、Ｃ２６に記載の装置。
［Ｃ３１］
前記選択されたＬＰＮから前記ＬＤＣＳを受信した後に前記選択されたＬＰＮにリンクされたＲＡＣＨ構成を使用して前記選択されたＬＰＮに前記ＲＡＣＨメッセージが送信され、ここにおいて、前記ＲＡＣＨ構成が、前記選択されたＬＰＮから受信された前記ＬＤＣＳと、前記第２のエンティティから受信された前記ＬＤＣＳ構成とのうちの少なくとも１つにおいて備えられる、Ｃ３０に記載の装置。
［Ｃ３２］
受信するための前記手段が、前記第２のエンティティからの前記受信されたＬＤＣＳ構成に基づいて、複数の低電力ノード（ＬＰＮ）からＬＤＣＳを受信し、ここにおいて、前記ＬＰＮの各々のための前記ＬＤＣＳが、前記対応するＬＰＮのためのバックホール品質情報とローディング能力情報とのうちの少なくとも１つを備える、Ｃ１８に記載の装置。
［Ｃ３３］
前記複数のＬＰＮの間でＬＰＮを選択するための手段をさらに備え、ここにおいて、選択するための前記手段が、前記装置におけるバッファステータスを判断し、前記装置の前記判断されたバッファステータスとの組合せで、前記対応するＬＰＮのための前記受信されたバックホール品質情報と前記ローディング能力情報とのうちの少なくとも１つに基づいて、前記複数のＬＰＮのいずれかにアクセスすべきかどうかを判断する、Ｃ３２に記載の装置。
［Ｃ３４］
選択するための前記手段が、前記対応するＬＰＮのための前記受信されたバックホール品質情報と、前記受信されたローディング能力情報と、受信信号強度と、経路損失とのいずれかに基づいて、前記複数のＬＰＮのいずれかにアクセスすべきかどうかを判断する、Ｃ３２に記載の装置。
［Ｃ３５］
第２のエンティティからユーザ機器リレー（ＵＥリレー）のための超低デューティサイクル信号（ＬＤＣＳ）構成を受信することと、
前記受信されたＬＤＣＳ構成に基づいて前記ＵＥリレーからのＬＤＣＳを監視することと
を行うように構成された処理システムを備える、ワイヤレス通信のための装置。
［Ｃ３６］
前記第２のエンティティが、ドーマント状態にない低電力ノード（ＬＰＮ）とマクロセルとのうちの１つを備える、Ｃ３５に記載の装置。
［Ｃ３７］
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ３５に記載の装置。
［Ｃ３８］
前記ＬＤＣＳの前記フォーマットが、低減された量の情報を有するシステム情報ブロック（ＳＩＢ）フォーマットを備え、ここにおいて、前記ＬＤＣＳがＳＩＢ情報とグローバルセルＩＤとのうちの少なくとも１つを備える、Ｃ３６に記載の装置。
［Ｃ３９］
前記ＬＤＣＳの前記フォーマットが、低デューティサイクルを有する拡張セル固有基準信号（ＣＲＳ）を備え、５つのリソースブロック（ＲＢ）と、２５個のＲＢと、システム帯域幅全体とのいずれかに及ぶ、Ｃ３６に記載の装置。
［Ｃ４０］
前記ＬＤＣＳの前記フォーマットが、少なくともグローバルセルＩＤの符号化された情報を備える低再利用プリアンブルを有するコード化信号送信を備える、Ｃ３６に記載の装置。
［Ｃ４１］
前記ＬＤＣＳ構成が、前記第２のエンティティからの１次同期信号（ＰＳＳ）送信と、２次同期信号（ＳＳＳ）送信と、物理ブロードキャストチャネル（ＰＢＣＨ）送信と、システム情報ブロック（ＳＩＢ）送信と、マスタ情報ブロック（ＭＩＢ）送信とのうちの少なくとも１つにおいて備えられる、Ｃ３５に記載の装置。
［Ｃ４２］
前記装置が、セル再選択を実行するためにアイドルモードと、前記ＵＥリレーを通して可能なデータ接続を実行するためにアクティブモードとのうちの少なくとも１つ中に前記ＬＤＣＳを監視する、Ｃ３５に記載の装置。
［Ｃ４３］
前記処理システムは、
複数の低電力ノード（ＬＰＮ）のためのＬＤＣＳ構成を受信することと、前記複数のＬＰＮが前記ＵＥリレーを含み、ここにおいて、前記装置が、前記受信されたＬＤＣＳ構成に基づいて前記複数のＬＰＮからの複数のＬＤＣＳを監視する、
ＬＰＮに接続する必要を前記装置が判断したとき、前記監視されるＬＤＣＳの中の最大受信電力と、前記監視されるＬＤＣＳの中の最小経路損失とのうちの少なくとも１つに基づいて、前記複数のＬＰＮの間でＬＰＮを選択することとを行うようにさらに構成された、Ｃ４２に記載の装置。
［Ｃ４４］
前記ＬＰＮが、前記監視されるＬＤＣＳの中の最小経路損失に基づいて選択される、Ｃ４３に記載の装置。
［Ｃ４５］
前記処理システムは、
前記第２のエンティティから前記複数のＬＰＮの送信電力を受信することと、ここにおいて、前記ＬＰＮの各々のための前記送信電力が、前記対応するＬＰＮのための前記受信されたＬＤＣＳ構成において備えられる、
前記対応するＬＰＮのための前記受信された送信電力に少なくとも部分的に基づいて、前記複数のＬＰＮの各々のための経路損失を判断することと
を行うようにさらに構成された、Ｃ４３に記載の装置。
［Ｃ４６］
各ＬＤＣＳが、前記対応するＬＰＮの送信電力を備え、前記処理システムが、
前記対応するＬＰＮのための前記受信された送信電力に少なくとも部分的に基づいて、前記複数のＬＰＮの各々のための経路損失を判断するようにさらに構成された、Ｃ４３に記載の装置。
［Ｃ４７］
前記処理システムが、
前記選択されたＬＰＮから前記ＬＤＣＳを受信した後にＲＡＣＨ遅延において前記選択されたＬＰＮにランダムアクセスチャネル（ＲＡＣＨ）メッセージを送信するようにさらに構成され、ここにおいて、前記ＲＡＣＨ遅延が、前記選択されたＬＰＮから受信された前記ＬＤＣＳと、前記第２のエンティティから受信された前記ＬＤＣＳ構成とのうちの少なくとも１つにおいて備えられる、Ｃ４３に記載の装置。
［Ｃ４８］
前記選択されたＬＰＮから前記ＬＤＣＳを受信した後に前記選択されたＬＰＮにリンクされたＲＡＣＨ構成を使用して前記選択されたＬＰＮに前記ＲＡＣＨメッセージが送信され、ここにおいて、前記ＲＡＣＨ構成が、前記選択されたＬＰＮから受信された前記ＬＤＣＳと、前記第２のエンティティから受信された前記ＬＤＣＳ構成とのうちの少なくとも１つにおいて備えられる、Ｃ４７に記載の装置。
［Ｃ４９］
前記処理システムが、
前記第２のエンティティからの前記受信されたＬＤＣＳ構成に基づいて、複数の低電力ノード（ＬＰＮ）からＬＤＣＳを受信するようにさらに構成され、ここにおいて、前記ＬＰＮの各々のための前記ＬＤＣＳが、前記対応するＬＰＮのためのバックホール品質情報とローディング能力情報とのうちの少なくとも１つを備える、Ｃ３５に記載の装置。
［Ｃ５０］
前記処理システムが、
前記装置におけるバッファステータスを判断することと、
前記装置の前記判断されたバッファステータスとの組合せで、前記対応するＬＰＮのための前記受信されたバックホール品質情報と前記ローディング能力情報とのうちの少なくとも１つに基づいて、前記複数のＬＰＮのいずれかにアクセスすべきかどうかを判断することとを行うようにさらに構成された、Ｃ４９に記載の装置。
［Ｃ５１］
前記処理システムが、
前記対応するＬＰＮのための前記受信されたバックホール品質情報と、前記受信されたローディング能力情報と、受信信号強度と、経路損失とのいずれかに基づいて、前記複数のＬＰＮのいずれかにアクセスすべきかどうかを判断するようにさらに構成された、Ｃ４９に記載の装置。
［Ｃ５２］
第２のエンティティからユーザ機器リレー（ＵＥリレー）のための超低デューティサイクル信号（ＬＤＣＳ）構成を受信するためのコードと、
前記受信されたＬＤＣＳ構成に基づいて前記ＵＥリレーからのＬＤＣＳを監視するためのコードと
を備えるコンピュータ可読媒体を備える、コンピュータプログラム製品。
［Ｃ５３］
前記第２のエンティティが、ドーマント状態にない低電力ノード（ＬＰＮ）とマクロセルとのうちの１つを備える、Ｃ５２に記載のコンピュータプログラム製品。
［Ｃ５４］
前記ＬＤＣＳのフォーマットが、特殊同期信号フォーマットと、拡張セル固有基準信号（ＣＲＳ）フォーマットと、コード化信号送信フォーマットと、チャネル状態情報基準信号（ＣＳＩ−ＲＳ）フォーマットと、システム情報ブロック（ＳＩＢ）フォーマットとのうちの少なくとも１つを備える、Ｃ５２に記載のコンピュータプログラム製品。
［Ｃ５５］
前記ＬＤＣＳの前記フォーマットが、低減された量の情報を有するシステム情報ブロック（ＳＩＢ）フォーマットを備え、ここにおいて、前記ＬＤＣＳがＳＩＢ情報とグローバルセルＩＤとのうちの少なくとも１つを備える、Ｃ５３に記載のコンピュータプログラム製品。
［Ｃ５６］
前記ＬＤＣＳの前記フォーマットが、低デューティサイクルを有する拡張セル固有基準信号（ＣＲＳ）を備え、５つのリソースブロック（ＲＢ）と、２５個のＲＢと、システム帯域幅全体とのいずれかに及ぶ、Ｃ５３に記載のコンピュータプログラム製品。
［Ｃ５７］
前記ＬＤＣＳの前記フォーマットが、少なくともグローバルセルＩＤの符号化された情報を備える低再利用プリアンブルを有するコード化信号送信を備える、Ｃ５３に記載のコンピュータプログラム製品。
［Ｃ５８］
前記ＬＤＣＳ構成が、前記第２のエンティティからの１次同期信号（ＰＳＳ）送信と、２次同期信号（ＳＳＳ）送信と、物理ブロードキャストチャネル（ＰＢＣＨ）送信と、システム情報ブロック（ＳＩＢ）送信と、マスタ情報ブロック（ＭＩＢ）送信とのうちの少なくとも１つにおいて備えられる、Ｃ５２に記載のコンピュータプログラム製品。
［Ｃ５９］
前記ＵＥが、セル再選択を実行するためにアイドルモードと、前記ＵＥリレーを通して可能なデータ接続を実行するためにアクティブモードとのうちの少なくとも１つ中に前記ＬＤＣＳを監視する、Ｃ５２に記載のコンピュータプログラム製品。
［Ｃ６０］
複数の低電力ノード（ＬＰＮ）のためのＬＤＣＳ構成を受信するためのコードと、前記複数のＬＰＮが前記ＵＥリレーを含み、ここにおいて、ユーザ機器（ＵＥ）が、前記受信されたＬＤＣＳ構成に基づいて前記複数のＬＰＮからの複数のＬＤＣＳを監視する、
前記ＵＥが、ＬＰＮに接続する必要を判断したとき、前記監視されるＬＤＣＳの中の最大受信電力と、前記監視されるＬＤＣＳの中の最小経路損失とのうちの少なくとも１つに基づいて、前記複数のＬＰＮの間でＬＰＮを選択するためのコードとをさらに備える、Ｃ５９に記載のコンピュータプログラム製品。
［Ｃ６１］
前記ＬＰＮが、前記監視されるＬＤＣＳの中の最小経路損失に基づいて選択される、Ｃ６０に記載のコンピュータプログラム製品。
［Ｃ６２］
前記第２のエンティティから前記複数のＬＰＮの送信電力を受信するためのコードと、ここにおいて、前記ＬＰＮの各々のための前記送信電力が、前記対応するＬＰＮのための前記受信されたＬＤＣＳ構成において備えられる、
前記対応するＬＰＮのための前記受信された送信電力に少なくとも部分的に基づいて、前記複数のＬＰＮの各々のための経路損失を判断するためのコードと
をさらに備える、Ｃ６０に記載のコンピュータプログラム製品。
［Ｃ６３］
各ＬＤＣＳが、前記対応するＬＰＮの送信電力を備え、前記方法が、
前記対応するＬＰＮのための前記受信された送信電力に少なくとも部分的に基づいて、前記複数のＬＰＮの各々のための経路損失を判断することをさらに備える、Ｃ６０に記載のコンピュータプログラム製品。
［Ｃ６４］
前記選択されたＬＰＮから前記ＬＤＣＳを受信した後にＲＡＣＨ遅延において前記選択されたＬＰＮにランダムアクセスチャネル（ＲＡＣＨ）メッセージを送信するためのコードをさらに備え、ここにおいて、前記ＲＡＣＨ遅延が、前記選択されたＬＰＮから受信された前記ＬＤＣＳと、前記第２のエンティティから受信された前記ＬＤＣＳ構成とのうちの少なくとも１つにおいて備えられる、Ｃ６０に記載のコンピュータプログラム製品。
［Ｃ６５］
前記選択されたＬＰＮから前記ＬＤＣＳを受信した後に前記選択されたＬＰＮにリンクされたＲＡＣＨ構成を使用して前記選択されたＬＰＮに前記ＲＡＣＨメッセージが送信され、ここにおいて、前記ＲＡＣＨ構成が、前記選択されたＬＰＮから受信された前記ＬＤＣＳと、前記第２のエンティティから受信された前記ＬＤＣＳ構成とのうちの少なくとも１つにおいて備えられる、Ｃ６４に記載のコンピュータプログラム製品。
［Ｃ６６］
前記第２のエンティティからの前記受信されたＬＤＣＳ構成に基づいて、複数の低電力ノード（ＬＰＮ）からＬＤＣＳを受信するためのコードをさらに備え、ここにおいて、前記ＬＰＮの各々のための前記ＬＤＣＳが、前記対応するＬＰＮのためのバックホール品質情報とローディング能力情報とのうちの少なくとも１つを備える、Ｃ５２に記載のコンピュータプログラム製品。
［Ｃ６７］
前記ＵＥにおけるバッファステータスを判断するためのコードと、
前記ＵＥの前記判断されたバッファステータスとの組合せで、前記対応するＬＰＮのための前記受信されたバックホール品質情報と前記ローディング能力情報とのうちの少なくとも１つに基づいて、前記複数のＬＰＮのいずれかにアクセスすべきかどうかを判断するためのコードとをさらに備える、Ｃ６６に記載のコンピュータプログラム製品。
［Ｃ６８］
前記対応するＬＰＮのための前記受信されたバックホール品質情報と、前記受信されたローディング能力情報と、受信信号強度と、経路損失とのいずれかに基づいて、前記複数のＬＰＮのいずれかにアクセスすべきかどうかを判断するためのコードをさらに備える、Ｃ６６に記載のコンピュータプログラム製品。